(57)【要約】【課題】コストを抑えつつ、省電力化を実現する。【解決手段】状態検知部１０１が、ディスプレイ１１０の使用開始または使用終了を検知した場合、ディスプレイ特定部１０４が、使用開始または使用終了が検知されたディスプレイ１１０である制御対象ディスプレイを特定する。ディスプレイ制御部１０５が、使用開始または使用終了が検知された制御対象ディスプレイの使用電力を制御するための処理を行う。【選択図】図１
2014139600.tif 000002
【特許請求の範囲】
【請求項１】
複数のディスプレイがそれぞれ有する複数の画面から構成されるマルチ画面と、各前記ディスプレイと通信可能な制御装置と、を含む映像表示システムであって、
前記制御装置は、
認識された特定の操作員の操作による、前記複数のディスプレイの少なくとも１つの使用開始および使用終了を検知可能な状態検知部と、
前記マルチ画面のうち前記操作員の操作対象となる範囲である操作対象範囲を特定するための情報を示す操作範囲情報を管理する操作範囲管理部と、
前記操作対象範囲に対応する前記ディスプレイを特定するためのディスプレイ情報を管理するディスプレイ情報管理部と、
前記状態検知部が前記使用開始または前記使用終了を検知した場合、前記操作範囲情報および前記ディスプレイ情報に基づいて、前記複数のディスプレイのうち、前記使用開始または前記使用終了が検知されたディスプレイである制御対象ディスプレイを特定するディスプレイ特定部と、
前記ディスプレイ特定部により特定された前記制御対象ディスプレイの使用電力を制御するための処理を行うディスプレイ制御部と、を備える
映像表示システム。
【請求項２】
前記ディスプレイ制御部は、
（ａ）前記状態検知部が前記使用開始を検知した場合、該使用開始が検知された前記制御対象ディスプレイの電源をオンし、
（ｂ）前記状態検知部が前記使用終了を検知した場合、該使用終了が検知された前記制御対象ディスプレイの電源をオフする
請求項１に記載の映像表示システム。
【請求項３】
前記ディスプレイ制御部は、前記状態検知部が前記使用開始または前記使用終了を検知した場合、前記使用開始または前記使用終了が検知された前記制御対象ディスプレイが表示する映像の輝度を制御する
請求項１に記載の映像表示システム。
【請求項４】
前記ディスプレイ制御部は、
（ａ）前記状態検知部が前記使用開始を検知した場合、該使用開始が検知された前記制御対象ディスプレイが表示する前記映像の輝度を上昇させる制御を行い、
（ｂ）前記状態検知部が前記使用終了を検知した場合、該使用終了が検知された前記制御対象ディスプレイが表示する前記映像の輝度を低下させる制御を行う
請求項３に記載の映像表示システム。
【請求項５】
前記複数のディスプレイの少なくとも１つのディスプレイは、さらに、前記特定の操作員と異なる他の操作員の操作対象であり、
前記ディスプレイ特定部は、前記複数のディスプレイのうち、前記他の操作員の操作対象の前記ディスプレイと異なるディスプレイを、前記制御対象ディスプレイとして特定する
請求項１〜４のいずれか１項に記載の映像表示システム。
【請求項６】
マルチ画面を構成する複数の画面をそれぞれ有する複数のディスプレイと通信可能な制御装置であって、
認識された特定の操作員の操作による、前記複数のディスプレイの少なくとも１つの使用開始および使用終了を検知可能な状態検知部と、
前記マルチ画面のうち前記操作員の操作対象となる範囲である操作対象範囲を特定するための情報を示す操作範囲情報を管理する操作範囲管理部と、
前記操作対象範囲に対応する前記ディスプレイを特定するためのディスプレイ情報を管理するディスプレイ情報管理部と、
前記状態検知部が前記使用開始または前記使用終了を検知した場合、前記操作範囲情報および前記ディスプレイ情報に基づいて、前記複数のディスプレイのうち、前記使用開始または前記使用終了が検知されたディスプレイである制御対象ディスプレイを特定するディスプレイ特定部と、
前記ディスプレイ特定部により特定された前記制御対象ディスプレイの使用電力を制御するための処理を行うディスプレイ制御部と、を備える
制御装置。
【発明の詳細な説明】
【技術分野】
【０００１】
本発明は、複数のディスプレイから構成されるマルチディスプレイを制御する映像表示システムおよび制御装置に関する。
【背景技術】
【０００２】
従来、電力、交通などの監視制御システムにおいては、１つ以上のディスプレイから構成されるマルチ画面を有する映像表示システムにて、複数の監視映像、監視情報などを、ウィンドウを利用して同時に表示し、複数の操作員による監視制御を行っている。以下においては、マルチ画面を有する映像表示システムを、マルチ画面映像表示システムともいう。
【０００３】
各ディスプレイはＥｔｈｅｒｎｅｔ（登録商標）またはＲＳ−２３２Ｃの規格に従った通信手段を内蔵している。各ディスプレイは、当該通信手段を介して制御コマンドにより各種制御を行う。当該各種制御は、例えば、電源のオン・オフ、画面の明るさ変更などの映像調整、映像切り替え、映像の拡大縮小等である。
【０００４】
特許文献１には、マルチディスプレイ（マルチ画面映像表示システム）を省電力制御するための技術（以下、関連技術Ａともいう）が開示されている。具体的には、関連技術Ａでは、ビデオカメラなどで操作員の視線を検知し、画面から当該視線が外れたときにディスプレイの電源を切り、また、操作員の視線が画面に戻った時には電源を入れる。
【先行技術文献】
【特許文献】
【０００５】
【特許文献１】特開２００１−３５０５４９号公報
【発明の概要】
【発明が解決しようとする課題】
【０００６】
しかしながら、関連技術Ａでは、以下のような問題点がある。具体的には、関連技術Ａでは、ビデオカメラにより撮影した映像を利用して操作員の視線を検知する。そのため、関連技術Ａでは、ビデオカメラという特別な外部機器が必要である。そのため、関連技術Ａを用いた映像表示システムのコストが高くなるという問題点がある。
【０００７】
本発明は、このような問題を解決するためになされたものであり、コストを抑えつつ、省電力化を実現することができる映像表示システム等を提供することを目的とする。
【課題を解決するための手段】
【０００８】
上記目的を達成するために、本発明の一態様に係る映像表示システムは、複数のディスプレイがそれぞれ有する複数の画面から構成されるマルチ画面と、各前記ディスプレイと通信可能な制御装置と、を含む。前記制御装置は、認識された特定の操作員の操作による、前記複数のディスプレイの少なくとも１つの使用開始および使用終了を検知可能な状態検知部と、前記マルチ画面のうち前記操作員の操作対象となる範囲である操作対象範囲を特定するための情報を示す操作範囲情報を管理する操作範囲管理部と、前記操作対象範囲に対応する前記ディスプレイを特定するためのディスプレイ情報を管理するディスプレイ情報管理部と、前記状態検知部が前記使用開始または前記使用終了を検知した場合、前記操作範囲情報および前記ディスプレイ情報に基づいて、前記複数のディスプレイのうち、前記使用開始または前記使用終了が検知されたディスプレイである制御対象ディスプレイを特定するディスプレイ特定部と、前記ディスプレイ特定部により特定された前記制御対象ディスプレイの使用電力を制御するための処理を行うディスプレイ制御部と、を備える。
【発明の効果】
【０００９】
本発明によれば、前記状態検知部が前記使用開始または前記使用終了を検知した場合、ディスプレイ特定部が、前記使用開始または前記使用終了が検知された制御対象ディスプレイを特定する。ディスプレイ制御部が、前記使用開始または前記使用終了が検知された制御対象ディスプレイの使用電力を制御するための処理を行う。なお、本発明では、従来のように、ビデオカメラという特別な外部機器等を利用せずに、上記の処理を行う。
【００１０】
これにより、コストを抑えつつ、省電力化を実現することができる。
【図面の簡単な説明】
【００１１】
【図１】本発明の実施の形態１に係る映像表示システムの構成を示すブロック図である。
【図２】操作範囲情報群の一例を示す図である。
【図３】ディスプレイ情報群の一例を示す図である。
【図４】電力制御処理のフローチャートである。
【図５】制御対象ディスプレイ情報の一例を示す図である。
【図６】ディスプレイ特定部の処理の流れを示すフローチャートである。
【図７】使用開始時処理のフローチャートである。
【図８】ログインが行われた後の状態の一例を説明するための図である。
【図９】ログインされているときの各種状態の一例を説明するための図である。
【図１０】使用終了時処理のフローチャートである。
【図１１】マルチディスプレイを制御するための、比較例としての制御技術を説明するための図である。
【発明を実施するための形態】
【００１２】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１３】
＜比較例＞
以下、比較例として、マルチディスプレイ１１０Ｍを制御するための技術（以下、制御技術Ｎともいう）について説明する。図１１は、マルチディスプレイ１１０Ｍを制御するための制御技術Ｎを説明するための図である。
【００１４】
マルチディスプレイ１１０Ｍは、ディスプレイ１１０−１，１１０−２，１１０−３，１１０−４，１１０−５，１１０−６，１１０−７，１１０−８，１１０−９，１１０−１０から構成される。以下においては、ディスプレイ１１０−１，１１０−２，１１０−３，１１０−４，１１０−５，１１０−６，１１０−７，１１０−８，１１０−９，１１０−１０の各々を、単に、ディスプレイ１１０ともいう。
【００１５】
すなわち、マルチディスプレイ１１０Ｍは、１０台のディスプレイ１１０を含む。１０台のディスプレイ１１０の各々は、画面１０を有する。また、マルチディスプレイ１１０Ｍは、マルチ画面１０Ａを有する。マルチ画面１０Ａは、１０台のディスプレイ１１０が、それぞれ有する１０個の画面１０から構成される。マルチ画面１０Ａは、２行５列に並べた１０個の画面１０から構成される。
【００１６】
制御技術Ｎでは、予め、操作員毎に、操作（使用）対象の画面上の領域（以下、操作範囲ともいう）が決められる。各操作員は、当該操作員が担当する操作範囲のみを操作できるように構成される。
【００１７】
例えば、操作員Ａの操作範囲はディスプレイ１１０−１，１１０−６に設定される。操作員Ｂの操作範囲はディスプレイ１１０−２，１１０−７に設定される。操作員Ｃの操作範囲はディスプレイ１１０−３，１１０−４，１１０−８，１１０−９に設定される。操作員Ｄの操作範囲はディスプレイ１１０−４，１１０−５，１１０−９，１１０−１０に設定される。なお、ディスプレイ１１０−４，１１０−９は、操作員Ｃ，Ｄにより共有して操作される。
【００１８】
この場合、例えば、操作員Ａは、ディスプレイ１１０−１，１１０−６に対しては、映像の表示、映像の移動、映像のサイズ変更、映像の消去などのための操作を行うことはできる。しかしながら、操作員Ａは、ディスプレイ１１０−１，１１０−６以外の他のディスプレイに対しては、上記のような操作を行うことはできない。
【００１９】
以上のようにすることにより、他の操作員が誤って、映像を消したりすることを防ぐことができ、また、複数の操作員が、マルチ画面１０Ａを共有して操作することを可能とする。
【００２０】
しかしながら、制御技術Ｎを用いたシステムでは、システムの起動時にマルチ画面１０Ａを構成するすべてのディスプレイの電源をオンにする。例えば、制御技術Ｎでは、操作員Ａのみがディスプレイ１１０−１，１１０−６を操作（使用）している場合、ディスプレイ１１０−１，１１０−６のみの電源をオンすれば良いにもかかわらず、その他の使用されていないディスプレイの電源もオンとなる。そのため、制御技術Ｎを用いたシステムでは、無駄な電力を消費するという問題点があった。
【００２１】
そこで、以下の実施の形態において、上記比較例で述べた上記問題を解決する。
【００２２】
＜実施の形態１＞
図１は、本発明の実施の形態１に係る映像表示システム１０００の構成を示すブロック図である。図１を参照して、映像表示システム１０００は、制御装置１００と、マルチディスプレイ１１０Ｍとを含む。
【００２３】
本実施の形態では、一例として、４人の操作員が制御装置１００（マルチディスプレイ１１０Ｍ）を操作するとする。以下においては、当該４人の操作員を、操作員Ａ、操作員Ｂ、操作員Ｃおよび操作員Ｄとも表記する。なお、制御装置１００（マルチディスプレイ１１０Ｍ）を操作する操作員の数は、４に限定されず、例えば、２または５以上であってもよい。
【００２４】
マルチディスプレイ１１０Ｍは、図１１のマルチディスプレイ１１０Ｍと同じ構成を有する。すなわち、マルチディスプレイ１１０Ｍは、１０台のディスプレイ１１０を含む。なお、マルチディスプレイ１１０Ｍに含まれる各ディスプレイ１１０の数は、１０に限定されず、例えば、４，９，１６等であってもよい。
【００２５】
また、１０台のディスプレイ１１０の各々は、画面１０を有する。また、マルチディスプレイ１１０Ｍは、マルチ画面１０Ａを有する。なお、ディスプレイ１１０−１，１１０−２，１１０−３，１１０−４，１１０−５，１１０−６，１１０−７，１１０−８，１１０−９，１１０−１０には、それぞれ、１，２，３，４，５，６，７，８，９，１０のディスプレイ番号が割当てられる。
【００２６】
マルチ画面１０Ａは、１０台のディスプレイ１１０がそれぞれ有する１０個の画面１０から構成される。すなわち、映像表示システム１０００は、マルチ画面１０Ａを含む。マルチ画面１０Ａは、２行５列に並べた１０個の画面１０から構成される。
【００２７】
ディスプレイ１１０−１の画面１０は、マルチ画面１０Ａを構成する各画面のうち、１行１列目の画面である。すなわち、当該ディスプレイ１１０−１の画面１０は、マルチ画面１０Ａの上段の各画面のうち、左から１番目の画面である。ディスプレイ１１０−２の画面１０は、マルチ画面１０Ａを構成する各画面のうち、１行２列目の画面である。すなわち、当該ディスプレイ１１０−２の画面１０は、マルチ画面１０Ａの上段の各画面のうち、左から２番目の画面である。ディスプレイ１１０−３の画面１０は、マルチ画面１０Ａを構成する各画面のうち、１行３列目の画面である。すなわち、当該ディスプレイ１１０−３の画面１０は、マルチ画面１０Ａの上段の各画面のうち、左から３番目の画面である。
【００２８】
ディスプレイ１１０−４の画面１０は、マルチ画面１０Ａを構成する各画面のうち、１行４列目の画面である。すなわち、当該ディスプレイ１１０−４の画面１０は、マルチ画面１０Ａの上段の各画面のうち、左から４番目の画面である。ディスプレイ１１０−５の画面１０は、マルチ画面１０Ａを構成する各画面のうち、１行５列目の画面である。すなわち、当該ディスプレイ１１０−５の画面１０は、マルチ画面１０Ａの上段の各画面のうち、左から５番目の画面である。
【００２９】
ディスプレイ１１０−６の画面１０は、マルチ画面１０Ａを構成する各画面のうち、２行１列目の画面である。すなわち、当該ディスプレイ１１０−６の画面１０は、マルチ画面１０Ａの下段の各画面のうち、左から１番目の画面である。ディスプレイ１１０−７の画面１０は、マルチ画面１０Ａを構成する各画面のうち、２行２列目の画面である。すなわち、当該ディスプレイ１１０−７の画面１０は、マルチ画面１０Ａの下段の各画面のうち、左から２番目の画面である。ディスプレイ１１０−８の画面１０は、マルチ画面１０Ａを構成する各画面のうち、２行３列目の画面である。すなわち、当該ディスプレイ１１０−８の画面１０は、マルチ画面１０Ａの下段の各画面のうち、左から３番目の画面である。
【００３０】
ディスプレイ１１０−９の画面１０は、マルチ画面１０Ａを構成する各画面のうち、２行４列目の画面である。すなわち、当該ディスプレイ１１０−９の画面１０は、マルチ画面１０Ａの下段の各画面のうち、左から４番目の画面である。ディスプレイ１１０−１０の画面１０は、マルチ画面１０Ａを構成する各画面のうち、２行５列目の画面である。すなわち、当該ディスプレイ１１０−１０の画面１０は、マルチ画面１０Ａの下段の各画面のうち、左から５番目の画面である。
【００３１】
なお、マルチ画面１０Ａを構成する各画面の数は、１０に限定されず、例えば、４，９，１６等であってもよい。
【００３２】
なお、図１のマルチ画面１０Ａに示される（ｘ（自然数），ｙ（自然数））は、マルチ画面１０Ａにおけるディスプレイ１１０の位置を示す。例えば、位置（３，２）は、２行３列目の画面１０を有するディスプレイ１１０の位置である。また、位置（３，２）は、２行３列目の画面１０を有するディスプレイ１１０を特定する位置でもある。すなわち、位置（ｘ，ｙ）は、ディスプレイ１１０を特定するための情報でもある。
【００３３】
各ディスプレイ１１０は、互いに通信する機能を有する通信部（図示せず）を有する。当該通信部は、Ｅｔｈｅｒｎｅｔ（登録商標）の規格に従った通信を行う。通信部を有する各ディスプレイ１１０は、コンピュータなどの外部機器と通信可能である。
【００３４】
なお、通信部が行う通信は、上記の規格に従った通信に限定されない。例えば、通信部は、ＲＳ−２３２Ｃ、ＵＳＢ（Universal Serial Bus）等の規格を利用した通信を行う構成としてもよい。
【００３５】
各ディスプレイ１１０の画面１０の解像度は、一例として、横１９２０画素、縦１０８０画素である。本実施の形態では、マルチ画面１０Ａの左上端の座標を（０，０）とする。この場合、マルチ画面１０Ａの右下端の座標は（９５９９，２１５９）となる。
【００３６】
なお、各ディスプレイ１１０の画面１０の解像度は、横１９２０画素、縦１０８０画素に限定されず、他の解像度（例えば、横１２８０画素、縦７２０画素）であってもよい。
【００３７】
制御装置１００は、コンピュータである。制御装置１００は、ディスプレイ１１０が有する通信部と同機能の通信部（図示せず）を有する。制御装置１００は、各ディスプレイ１１０と通信可能に構成される。具体的には、制御装置１００は、通信ケーブルにより、各ディスプレイ１１０と接続される。
【００３８】
また、制御装置１００では、オペレーティングシステム（ＯＳ）が動作する。当該オペレーティングシステムは、例えば、Ｍｉｃｒｏｓｏｆｔ社のＷｉｎｄｏｗｓ（登録商標）、Ｌｉｎｕｘ（登録商標）等である。
【００３９】
制御装置１００は、状態検知部１０１と、操作範囲管理部１０２と、ディスプレイ情報管理部１０３と、ディスプレイ特定部１０４と、ディスプレイ制御部１０５と、操作部１０６とを備える。
【００４０】
操作部１０６は、操作員が、制御装置１００に対し指示を与えるためのインタフェースである。操作部１０６は、例えば、マウス、キーボード等から構成される。以下においては、操作員が、操作部１０６を利用して行う操作を、操作Ｕともいう。
【００４１】
操作員は、操作部１０６を利用して、制御装置１００で動作するＯＳへログインするための操作Ｕ、ＯＳからログアウトするための操作Ｕ等を行う。なお、ログインするための操作が行われる場合、操作部１０６を利用した、操作員のログイン名を入力するための操作および処理も行われる。
【００４２】
状態検知部１０１は、制御装置１００に対する、認識された特定の操作員の操作Ｕによる、マルチディスプレイ１１０Ｍを構成する複数のディスプレイ１１０の少なくとも１つの使用開始および使用終了を検知可能である。当該特定の操作員は、例えば、ログインするための操作を行うことにより、制御装置１００により認識された操作員である。
【００４３】
ディスプレイ１１０の使用開始および使用終了の検知は、制御装置１００で動作するＯＳへのログイン、制御装置１００で動作するＯＳからのログアウト等の処理を、ソフトウエアなどで検知することで、実現可能である。また、前述のように、操作部１０６を利用した、操作員のログイン名を入力する処理が行われることにより、状態検知部１０１は、ログイン名を取得する。
【００４４】
なお、状態検知部１０１は、ログインまたはログアウトをするための操作Ｕが行われた場合、当該操作Ｕを行った操作員を特定するためのログイン名と、ディスプレイ１１０の使用開始または使用終了を示す状態情報とを、ディスプレイ特定部１０４へ通知する。
【００４５】
なお、ディスプレイ１１０の使用開始および使用終了の検知は、上記方法に限定されず、ディスプレイ１１０の使用開始および使用終了が判断できる方法であればその他の方法でも良い。例えば、ディスプレイ１１０の使用開始および使用終了の検知は、制御装置との通信確立、制御装置からの通信切断等で実現されてもよい。
【００４６】
操作範囲管理部１０２は、各操作員に対応する操作範囲情報群ＤＴ１を管理（記憶）する。操作範囲情報群ＤＴ１は、複数の操作員にそれぞれ対応する複数の操作範囲情報を含む。すなわち、操作範囲管理部１０２は、操作範囲情報群ＤＴ１に含まれる複数の操作範囲情報を管理（記憶）する。
【００４７】
図２は、操作範囲情報群ＤＴ１の一例を示す図である。図２を参照して、前述したように、操作範囲情報群ＤＴ１は、複数の操作員にそれぞれ対応する複数の操作範囲情報を含む。操作範囲情報は、操作範囲情報群ＤＴ１における１つの列の方向の情報を示す。操作範囲情報は、ログイン名、左上端の座標および右下端の座標を示す。
【００４８】
具体的には、図２において、「ログイン名」とは、操作員に割当てられたログイン名である。ここで、Ｕｓｅｒ１、Ｕｓｅｒ２、Ｕｓｅｒ３およびＵｓｅｒ４は、それぞれ、操作員Ａ、操作員Ｂ、操作員Ｃおよび操作員Ｄに割当てられたログイン名である。
【００４９】
図２の「左上端（ＳＸ，ＳＹ）」および「右下端（ＥＸ，ＥＹ）」は、マルチ画面１０Ａのうち、各操作員に割当てられた範囲（領域）を特定するための座標である。マルチ画面１０Ａのうち、操作員に割当てられた範囲（領域）は、当該操作員の操作対象となる範囲（領域）である。以下においては、マルチ画面１０Ａのうち、操作員の操作対象となる範囲を、操作対象範囲ともいう。
【００５０】
「左上端（ＳＸ，ＳＹ）」は、操作対象範囲の左上端の座標（以下、操作対象ＬＵ座標または左上端座標ともいう）である。「右下端（ＥＸ，ＥＹ）」は、操作対象範囲の右下端の座標（以下、操作対象ＲＤ座標または右下端座標ともいう）である。すなわち、操作範囲情報群ＤＴ１が示す「左上端（ＳＸ，ＳＹ）」および「右下端（ＥＸ，ＥＹ）」は、マルチ画面１０Ａのうち操作員の操作対象となる操作対象範囲を特定するための情報である。
【００５１】
例えば、ログイン名「Ｕｓｅｒ１」が割当てられた操作員Ａについては、左上端の座標が（０，０）であり、かつ、右下端の座標が（１９１９，２１５９）である操作対象範囲が、当該操作員Ａの操作対象の範囲である。すなわち、操作員Ａの操作対象の操作対象範囲の画面を構成する、ディスプレイ番号１のディスプレイ１１０−１および，ディスプレイ番号６のディスプレイ１１０−６、操作員Ａの操作対象のディスプレイである。
【００５２】
以下においては、操作員の操作対象となるディスプレイを、操作対象ディスプレイともいう。
【００５３】
ディスプレイ情報管理部１０３は、ディスプレイ情報群ＤＴ２を管理（記憶）する。ディスプレイ情報群ＤＴ２は、複数のディスプレイ１１０にそれぞれ対応する複数のディスプレイ情報を含む。すなわち、ディスプレイ情報管理部１０３は、ディスプレイ情報群ＤＴ２に含まれる複数のディスプレイ情報を管理（記憶）する。
【００５４】
ディスプレイ情報群ＤＴ２は、マルチディスプレイ１１０Ｍを構成する各ディスプレイ１１０に関連する情報を示す。すなわち、ディスプレイ情報管理部１０３は、マルチディスプレイ１１０Ｍに関連する情報を管理するマルチディスプレイ管理部である。
【００５５】
図３は、ディスプレイ情報群ＤＴ２の一例を示す図である。前述したように、ディスプレイ情報群ＤＴ２は、複数のディスプレイ情報を含む。ディスプレイ情報は、ディスプレイ情報群ＤＴ２の１つの行の方向の情報を示す情報である。ディスプレイ情報は、例えば、ディスプレイ番号１に対応付けられた情報を示す。
【００５６】
図３において、「位置」は、図１を用いて上記において説明した位置（ｘ，ｙ）である。当該位置（ｘ，ｙ）は、ディスプレイ１１０の位置である。すなわち、ディスプレイ情報群ＤＴ２は、各ディスプレイ１１０の位置を特定するための情報を示す。例えば、ディスプレイ番号３のディスプレイ１１０の位置は、図３において「３，１」と示される。また、前述したように、ディスプレイ情報が示す位置（ｘ，ｙ）は、ディスプレイ１１０を特定するための情報でもある。
【００５７】
図３において、「ＩＰ（Internet Protocol）アドレス」とは、ディスプレイ１１０に割当てられたＩＰアドレスである。「オフセット座標」とは、マルチ画面１０Ａの座標における、ディスプレイ番号で特定されるディスプレイ１１０の有する画面１０の左上端の座標である。例えば、図３に示されるように、ディスプレイ番号３のディスプレイ１１０−３の有する画面１０の左上端の座標は、（３８４０，０）である。
【００５８】
ディスプレイ情報群ＤＴ２に含まれる、操作対象範囲内のオフセット座標を示す全てのディスプレイ情報は、当該操作対象範囲に対応する情報である。当該操作対象範囲は、操作範囲情報群ＤＴ１が示す操作対象ＬＵ座標および操作対象ＲＤ座標により特定される範囲である。当該ディスプレイ情報は、ディスプレイを特定する情報（前述の「位置」）を示す。
【００５９】
すなわち、ディスプレイ情報群ＤＴ２が示す各ディスプレイ情報は、操作対象範囲に対応するディスプレイ情報に特定されるディスプレイを特定するための情報でもある。つまり、ディスプレイ情報群ＤＴ２が示す各ディスプレイ情報は、操作対象範囲に対応するディスプレイを特定するための情報でもある。
【００６０】
また、「サイズ」とは、各ディスプレイ１１０の有する画面１０の解像度（サイズ）である。すなわち、「サイズ」とは、画素単位で表現される、画面１０の幅および高さである。「使用ユーザー数」とは、当該「使用ユーザー数」に対応するディスプレイを使用（操作）している操作員の数である。
【００６１】
再び、図１を参照して、ディスプレイ特定部１０４は、詳細は後述するが、制御対象のディスプレイを特定する。
【００６２】
ディスプレイ制御部１０５は、詳細は後述するが、制御対象ディスプレイの使用電力を制御するための処理を行う。
【００６３】
次に、本実施の形態に係る映像表示システム１０００（制御装置１００）が行う処理（以下、電力制御処理ともいう）について説明する。
【００６４】
図４は、電力制御処理のフローチャートである。
【００６５】
ステップＳ１１０では、ディスプレイ１１０の使用開始または使用終了を検知したか否かが判定される。具体的には、状態検知部１０１が、ディスプレイ１１０の使用開始または使用終了を検知したか否かが判定される。前述したように、例えば、操作員が、操作部１０６を利用して、制御装置１００で動作するＯＳへログインするための操作Ｕを行った場合、状態検知部１０１は、ディスプレイ１１０の使用開始を検知する。また、操作員が、操作部１０６を利用して、制御装置１００で動作するＯＳからログアウトするための操作Ｕを行った場合、状態検知部１０１は、ディスプレイ１１０の使用終了を検知する。
【００６６】
なお、状態検知部１０１は、ログインまたはログアウトをするための操作Ｕが行われた場合、当該操作Ｕを行った操作員のログイン名と、ディスプレイ１１０の使用開始または使用終了を示す状態情報とを、ディスプレイ特定部１０４へ通知する。
【００６７】
ステップＳ１１０において、ＹＥＳならば、処理はステップＳ１２０に移行する。ステップＳ１１０でＹＥＳの場合は、状態検知部１０１が使用開始または使用終了を検知した場合である。一方、ステップＳ１１０において、ＮＯならば、再度、ステップＳ１１０の処理が行われる。
【００６８】
ステップＳ１２０では、制御対象ディスプレイを特定するための制御対象ディスプレイ特定処理が行われる。制御対象ディスプレイ特定処理では、ディスプレイ特定部１０４が、操作範囲情報群ＤＴ１が示す各操作範囲情報、および、ディスプレイ情報群ＤＴ２が示す各ディスプレイ情報に基づいて、制御対象ディスプレイを特定する。少し具体的には、ディスプレイ特定部１０４が、通知されたログイン名と、操作範囲管理部１０２に記憶（格納）されている操作範囲情報群ＤＴ１と、ディスプレイ情報管理部１０３に記憶（格納）されているディスプレイ情報群ＤＴ２とに基づいて、制御対象ディスプレイを特定する。
【００６９】
具体的には、ディスプレイ特定部１０４が、操作範囲情報群ＤＴ１のうち、通知されたログイン名を示す操作範囲情報が示す、操作対象ＬＵ座標および操作対象ＲＤ座標により特定される操作対象範囲を特定する。
【００７０】
そして、ディスプレイ特定部１０４は、ディスプレイ情報群ＤＴ２から、特定した操作対象範囲内のオフセット座標を示すディスプレイ情報を抽出する。次に、ディスプレイ特定部１０４は、抽出した全てのディスプレイ情報の各々に対応するディスプレイを、制御対象ディスプレイとして特定する。
【００７１】
ここで、一例として、通知されたログイン名は「Ｕｓｅｒ１」であるとする。この場合、ディスプレイ特定部１０４は、操作範囲情報群ＤＴ１のうち、ログイン名「Ｕｓｅｒ１」を示す操作範囲情報が示す、操作対象ＬＵ座標（左上端座標）、操作対象ＲＤ座標（右下端座標）から、操作対象範囲を特定する。すなわち、ディスプレイ特定部１０４は、ログイン名「Ｕｓｅｒ１」を示す操作範囲情報から、操作対象ＬＵ座標（左上端座標）が（０，０）であり、かつ、操作対象ＲＤ座標（右下端座標）が（１９１９，２１５９）である操作対象範囲を特定する。
【００７２】
特定された当該操作対象範囲は、座標（０，０），（１９１９，０），（０，２１５９），（１９１９，２１５９）で囲まれる範囲（領域）である。言い換えれば、特定された当該操作対象範囲は、図１のマルチ画面１０Ａのうち、１行１列目の画面１０と１行２列目の画面１０とから構成される範囲（領域）である。
【００７３】
そして、ディスプレイ特定部１０４は、特定された操作対象範囲内のオフセット座標（０，０），（０，１０８０）を示すディスプレイ情報を抽出する。この場合、ディスプレイ特定部１０４は、図３のディスプレイ情報群ＤＴ２により、ディスプレイ番号１，６のディスプレイ１１０を、制御対象ディスプレイとして特定する。制御対象ディスプレイは、マルチディスプレイ１１０Ｍを構成する複数のディスプレイ１１０のうち、使用開始または使用終了が検知されたディスプレイである。
【００７４】
ステップＳ１３０では、ディスプレイ情報生成処理が行われる。ディスプレイ情報生成処理では、ディスプレイ特定部１０４が、特定された操作対象範囲における、左上端のディスプレイ１１０の位置および右下端のディスプレイ１１０の位置を示す制御対象ディスプレイ情報ＤＴ３を生成する。生成された制御対象ディスプレイ情報ＤＴ３は、左上端位置（ＬＵＸ（自然数），ＬＵＹ（自然数））および右下端位置（ＲＢＸ（自然数），ＲＢＹ（自然数））を示す。
【００７５】
そして、ディスプレイ特定部１０４は、生成した制御対象ディスプレイ情報ＤＴ３と、状態情報とを、ディスプレイ制御部１０５へ送信する。
【００７６】
ここで、一例として、特定された操作対象範囲は、１行１列目の画面１０（ディスプレイ１１０−１）と１行２列目の画面１０（ディスプレイ１１０−６）とから構成される範囲（領域）であるとする。この場合、ディスプレイ特定部１０４は、操作対象範囲の左上端位置（１，１）および右下端位置（１，２）を示す制御対象ディスプレイ情報ＤＴ３を生成する。この場合、当該制御対象ディスプレイ情報ＤＴ３は、例えば、図５に示される情報である。
【００７７】
図５は、制御対象ディスプレイ情報ＤＴ３の一例を示す図である。
【００７８】
再び、図４を参照して、ステップＳ１４０では、ディスプレイ制御処理が行われる。ディスプレイ制御処理では、ディスプレイ制御部１０５が、ディスプレイ特定部１０４により特定された制御対象ディスプレイの使用電力を制御するための処理を行う。少し具体定には、ディスプレイ制御部１０５が、ディスプレイ特定部１０４により特定された制御対象ディスプレイのみの使用電力を低減させるための処理を行う。
【００７９】
具体的には、ディスプレイ制御部１０５は、状態検知部１０１が使用開始を検知した場合、該使用開始が検知された制御対象ディスプレイの電源をオンする。また、ディスプレイ制御部１０５は、状態検知部１０１が使用終了を検知した場合、該使用終了が検知された制御対象ディスプレイの電源をオフする。
【００８０】
ここで、一例として、ディスプレイ１１０−１，１１０−６を使用（操作）していた操作員Ａが、当該ディスプレイ１１０−１，１１０−６の使用を終了し、ログアウトしたとする。その後、ステップＳ１１０〜Ｓ１４０の処理が行われたとする。この場合、ディスプレイ制御部１０５が受信した状態情報は、使用終了を示す。また、制御対象ディスプレイ情報ＤＴ３は、図５に示される情報であるとする。すなわち、制御対象ディスプレイは、ディスプレイ１１０−１，１１０−６である。
【００８１】
この場合、ディスプレイ制御処理では、ディスプレイ制御部１０５が、ディスプレイ１１０−１，１１０−６の電源をオフにする。
【００８２】
以上の処理が行われることにより、マルチディスプレイ１１０Ｍを構成する複数のディスプレイ１１０のうち、使用されていないディスプレイ１１０のみの電源をオフにすることができる。これにより、マルチディスプレイ１１０Ｍを含む映像表示システム１０００の省電力化を実現することができる。
【００８３】
また、他の例として、マルチディスプレイ１１０Ｍを構成する複数のディスプレイ１１０が使用されていない状態で、操作員Ａが、ディスプレイ１１０−１，１１０−６を使用するために、ログインのための操作Ｕを行ったとする。その後、ステップＳ１１０〜Ｓ１４０の処理が行われたとする。
【００８４】
この場合、ディスプレイ制御部１０５が受信した状態情報は、使用開始を示す。また、制御対象ディスプレイ情報ＤＴ３は、図５に示される情報であるとする。すなわち、制御対象ディスプレイは、ディスプレイ１１０−１，１１０−６である。この場合、ディスプレイ制御処理では、ディスプレイ制御部１０５が、ディスプレイ１１０−１，１１０−６の電源をオンにする。
【００８５】
以上の処理が行われることにより、マルチディスプレイ１１０Ｍを構成する複数のディスプレイ１１０のうち、使用されていないディスプレイ１１０の電源はオフのままで、使用される予定のディスプレイ１１０のみの電源がオンにされる。したがって、比較例のように全てのディスプレイ１１０の電源をオンする場合よりも、マルチディスプレイ１１０Ｍを含む映像表示システム１０００が使用する電力を低下させることができる。すなわち、映像表示システム１０００の省電力化を実現することができる。
【００８６】
なお、複数の操作員が、ログインのための操作Ｕを行ったとする。この場合、前述の電力制御処理は、各操作員のログイン毎に、独立して並行される。
【００８７】
ここで、一例として、操作員Ａ，Ｂが、ログインのための操作Ｕを行ったとする。また、操作員Ａの操作対象のディスプレイは、ディスプレイ１１０−１，１１０−６であるとする。また、操作員Ｂの操作対象のディスプレイは、ディスプレイ１１０−２，１１０−７であるとする。すなわち、複数のディスプレイ１１０の少なくとも１つのディスプレイ（ディスプレイ１１０−２，１１０−７）は、さらに、他の操作員（操作員Ｂ）の操作対象である。
【００８８】
この場合、操作員Ａに対応する電力制御処理と、操作員Ｂに対応する電力制御処理とが、独立して並行される。この場合、操作員Ａに対応する電力制御処理の制御対象ディスプレイ特定処理では、ディスプレイ特定部１０４は、複数のディスプレイ１１０のうち、他の操作員（操作員Ｂ）の操作対象のディスプレイと異なるディスプレイを、制御対象ディスプレイとして特定する。当該他の操作員は、例えば、制御装置１００により認識された操作員Ａと異なる操作員である。
【００８９】
なお、電力制御処理において、ステップＳ１３０の処理は行われなくてもよい。すなわち、制御対象ディスプレイ情報ＤＴ３の生成、制御対象ディスプレイ情報ＤＴ３を用いた処理等は行われなくてもよい。
【００９０】
なお、電力制御処理は、上記の処理に限定されない。電力制御処理は、例えば、後述の処理で説明するような処理を行う処理であってもよい。
【００９１】
次に、前述の電力制御処理よりもさらに詳細な、映像表示システム１０００の処理（動作）を、フローチャートを用いて説明する。なお、以下においては、制御対象ディスプレイ情報ＤＴ３を、単に、制御対象ディスプレイ情報ともいう。
【００９２】
映像表示システム１０００の初期状態ではどの操作員もログインしておらず、マルチ画面１０Ａを構成するすべてのディスプレイ１１０の電源はオフであるとする。
【００９３】
このとき、ディスプレイ情報管理部１０３が記憶しているディスプレイ情報群ＤＴ２は、図３のディスプレイ情報群ＤＴ２である。すなわち、ディスプレイ情報群ＤＴ２が示す、ディスプレイ番号１〜１０に対応する使用ユーザー数は、０である。
【００９４】
この状態で、ログイン名「Ｕｓｅｒ１」が割当てられた操作員Ａがログインを行うための操作を行った場合、状態検知部１０１は、ログイン名「Ｕｓｅｒ１」、及び使用開始を示す状態情報をディスプレイ特定部１０４に通知する。
【００９５】
図６は、ディスプレイ特定部１０４の処理の流れを示すフローチャートである。以下においては、ディスプレイ１１０を、単に、ディスプレイともいう。また、以下においては、ディスプレイ番号を、単に、ＤＰＹＮＯとも表記する。
【００９６】
まず、ディスプレイ特定部１０４が、操作範囲管理部１０２が記憶している操作範囲情報群ＤＴ１からログイン名「Ｕｓｅｒ１」を示す操作範囲情報を取得する（Ｓ４０１）。ログイン名「Ｕｓｅｒ１」を示す操作範囲情報は、図２において、左上端座標（０，０）、右下端座標（１９１９，２１５９）を示す情報である。この場合、当該操作範囲情報により特定される操作対象範囲は、左上端座標が（０，０）であり、かつ、右下端座標が（１９１９，２１５９）の範囲である。
【００９７】
次に、ディスプレイ特定部１０４が、調査対象のＤＰＹＮＯ（ディスプレイ番号）に１を設定する（ステップＳ４０２）。すなわち、ディスプレイ特定部１０４は、ＤＰＹＮＯを初期化する。
【００９８】
次に、ディスプレイ特定部１０４が、操作対象範囲の左上端がＤＰＹＮＯのディスプレイ内であるか否かを判定する（Ｓ４０３）。操作対象範囲の左上端がＤＰＹＮＯのディスプレイ内でない場合（ステップＳ４０３でＮＯ）、調査対象のディスプレイを次のディスプレイとするために、ディスプレイ特定部１０４は、ＤＰＹＮＯに１を加算する（ステップＳ４０４）。
【００９９】
一方、操作対象範囲の左上端がＤＰＹＮＯのディスプレイ内である場合（ステップＳ４０３でＹＥＳ）、ディスプレイ特定部１０４が、制御対象ディスプレイ情報が示す左上端位置（ＬＵＸ，ＬＵＹ）を、ＤＰＹＮＯのディスプレイの位置とする（ステップＳ４０５）。
【０１００】
なお、ログイン名「Ｕｓｅｒ１」が割当てられた操作員Ａに対応する操作対象範囲の左上端は（０，０）である。そのため、操作員Ａに対応する操作対象範囲の左上端は、ＤＰＹＮＯが１であるディスプレイ１１０−１内に位置する。この場合、制御対象ディスプレイ情報の左上端位置は、ＬＵＸ＝１、ＬＵＹ＝１となる。
【０１０１】
次に、ディスプレイ特定部１０４が、調査対象のＤＰＹＮＯ（ディスプレイ番号）を１に初期化する（ステップＳ４０６）。
【０１０２】
次に、ディスプレイ特定部１０４が、操作対象範囲の右下端が、ＤＰＹＮＯのディスプレイ内であるか否かを判定する（Ｓ４０７）。操作対象範囲の右下端がＤＰＹＮＯのディスプレイ内でない場合（ステップＳ４０７でＮＯ）、調査対象のディスプレイを次のディスプレイとするために、ディスプレイ特定部１０４は、ＤＰＹＮＯに１を加算する（ステップＳ４０８）。
【０１０３】
一方、操作対象範囲の右下端がＤＰＹＮＯのディスプレイ内である場合（ステップＳ４０７でＹＥＳ）、ディスプレイ特定部１０４が、制御対象ディスプレイ情報が示す右下端位置（ＲＢＸ，ＲＢＹ）を、ＤＰＹＮＯのディスプレイの位置とする（ステップＳ４０９）。
【０１０４】
なお、ログイン名「Ｕｓｅｒ１」が割当てられた操作員Ａに対応する操作対象範囲の右下端は（１９１９，２１５９）である。そのため、操作員Ａに対応する操作対象範囲の右下端は、ＤＰＹＮＯが６であるディスプレイ１１０−６内に位置する。この場合、制御対象ディスプレイ情報の右下端位置は、ＲＢＸ＝１、ＲＢＹ＝２となる。
【０１０５】
次に、ディスプレイ制御部１０５の動作について説明する。具体的には、使用開始時においてディスプレイ制御部１０５が行う処理（以下、使用開始時処理ともいう）について説明する。
【０１０６】
図７は、使用開始時処理のフローチャートである。
【０１０７】
まず、ディスプレイ制御部１０５は、ディスプレイ特定部１０４から、（ＬＵＸ，ＬＵＹ）、（ＲＢＸ，ＲＢＹ）を示す制御対象ディスプレイ情報を取得する（ステップＳ６０１）。
【０１０８】
以下においては、制御対象ディスプレイの位置を、制御対象位置（ＤＰＹＸ（自然数），ＤＰＹＹ（自然数））とも表記する。
【０１０９】
次に、ディスプレイ制御部１０５は、制御対象ディスプレイの制御対象位置（ＤＰＹＸ，ＤＰＹＹ）の初期値を設定する。具体的には、ディスプレイ制御部１０５は、ＤＰＹＸ＝ＬＵＸ、ＤＰＹＹ＝ＬＵＹとする（ステップＳ６０２）。
【０１１０】
次に、ディスプレイ制御部１０５は、位置が、（ＤＰＹＸ，ＤＰＹＹ）であるディスプレイのＩＰアドレスを、ディスプレイ情報群ＤＴ２に含まれる各ディスプレイ情報から特定する。
【０１１１】
そして、ディスプレイ制御部１０５は、特定したＩＰアドレスを有する制御対象ディスプレイへ、通信ケーブルを介して、電源をオンするための制御コマンドを送信する。当該制御コマンドを受信した制御対象ディスプレイは、電源をオンする（ステップＳ６０３）。
【０１１２】
次に、ディスプレイ制御部１０５は、位置が、（ＤＰＹＸ，ＤＰＹＹ）であるディスプレイに対応するディスプレイ情報の使用ユーザー数に１を加算する（ステップＳ６０４）。
【０１１３】
次に、ディスプレイ制御部１０５は、ＤＰＹＸに１を加算する（ステップＳ６０５）。すなわち、ディスプレイ制御部１０５は、現在の制御対象ディスプレイの１つ右隣のディスプレイを、新たな制御対象ディスプレイとする。
【０１１４】
次に、ディスプレイ制御部１０５は、ＤＰＹＸがＲＢＸより大きいか否かを判定する（ステップＳ６０６）。ＤＰＹＸがＲＢＸ以下の場合（ステップＳ６０６でＮＯ）、再度、ステップＳ６０３の処理が行われる。すなわち、新たな制御対象ディスプレイの電源がオンされる。
【０１１５】
一方、ＤＰＹＸがＲＢＸより大きい場合（ステップＳ６０６でＹＥＳ）、操作対象範囲内にある右端のディスプレイまでの制御が完了したことになる。この場合、処理は、ステップＳ６０７へ移行する。
【０１１６】
次に、ディスプレイ制御部１０５は、ＤＰＹＸ＝ＬＵＸとする。次に、ディスプレイ制御部１０５は、ＤＰＹＹに１を加算する。すなわち、次の制御対象ディスプレイを、１つ下の段の左端のディスプレイに設定する（ステップＳ６０７）。
【０１１７】
次に、ディスプレイ制御部１０５は、ＤＰＹＹがＲＢＹより大きいか否かを判定する（ステップＳ６０８）。ＤＰＹＹがＲＢＹ以下の場合（ステップＳ６０８でＮＯ）は、操作対象範囲内の下端のディスプレイまで制御が完了していない。この場合、再度、ステップＳ６０３の処理が行われる。これにより、次のディスプレイの電源がオンにされる。
【０１１８】
一方、ＤＰＹＹがＲＢＹより大きい場合（ステップＳ６０８でＹＥＳ）、操作対象範囲内にある下端のディスプレイまでの制御が完了したことになる。この場合、全ての制御対象ディスプレイの制御が完了したので、この処理は終了する。
【０１１９】
上記処理の結果を図８に示す。以下においては、上記処理により、更新されたディスプレイ情報群ＤＴ２を、ディスプレイ情報群ＤＴ２ａとも表記する。
【０１２０】
図８は、ログインが行われた後の状態の一例を説明するための図である。図８（ａ）は、ログイン名「Ｕｓｅｒ１」が割当てられた操作員Ａがログインした後のディスプレイの電源状態を示す図である。図８（ｂ）は、操作員Ａがログインした後のディスプレイ情報群ＤＴ２ａを示す図である。
【０１２１】
図８（ａ）に示すように、マルチディスプレイ１１０Ｍ（マルチ画面１０Ａ）において、操作員Ａの操作対象範囲内にあるディスプレイ１１０−１，１１０−６の電源がオンされており、映像を表示する。その他のディスプレイ１１０−２，１１０−３，１１０−４，１１０−５，１１０−７，１１０−８，１１０−９，１１０−１０の電源はオフのままであり、当該電源オフのディスプレイは、映像を表示しない。
【０１２２】
また、使用ユーザー数の状態は、図３の状態から、図８（ｂ）が示すように更新される。
【０１２３】
上記のように、操作員が使用開始した時に、操作員の操作対象範囲にあるディスプレイの電源のみをオンするように制御すること。これにより、使用しないディスプレイの電力を無駄に消費することなく、消費電力を削減することが可能である。
【０１２４】
次に、操作員Ｃ，Ｄがログインしている状態から、操作員Ｄがログアウトしたときの動作について説明する。操作員Ｃには、ログイン名「Ｕｓｅｒ３」が割当てられている。操作員Ｄには、ログイン名「Ｕｓｅｒ４」が割当てられている。
【０１２５】
図９は、ログインされているときの各種状態の一例を説明するための図である。図９（ａ）は、操作員Ｃ，Ｄがログインしている状態のディスプレイの電源状態を示す図である。図９（ｂ）は、操作員Ｃ，Ｄがログインしている状態のディスプレイ情報の内容を示す図である。以下においては、さらに更新されたディスプレイ情報群ＤＴ２ａを、ディスプレイ情報群ＤＴ２ｂとも表記する。
【０１２６】
図９（ａ）に示すように、ディスプレイ１１０−１，１１０−２，１１０−６，１１０−７の電源はオフで、映像が表示されていない。一方、ディスプレイ１１０−３，１１０−４，１１０−５，１１０−８，１１０−９，１１０−１０の電源はオンであり、映像が表示されている。各ディスプレイの使用ユーザー数は、図９（ｂ）に示される数になっている。
【０１２７】
ログイン名「Ｕｓｅｒ４」が割当てられている操作員Ｄがログアウトすると、状態検知部１０１は、ログイン名「Ｕｓｅｒ４」、及び、使用終了を示す状態情報をディスプレイ特定部１０４に通知する。
【０１２８】
ディスプレイ特定部１０４は、操作範囲管理部１０２が記憶している操作範囲情報群ＤＴ１からログイン名「Ｕｓｅｒ４」を示す操作範囲情報を取得する。ログイン名「Ｕｓｅｒ４」を示す操作範囲情報は、図２において、左上端座標（５７６０，０）、右下端座標（９５９９，２１５９）を示す情報である。この場合、当該操作範囲情報により特定される操作対象範囲は、左上端座標が（５７６０，０）であり、かつ、右下端座標が（９５９９，２１５９）の範囲である。
【０１２９】
次に、ディスプレイ特定部１０４は、前述の図６のフローチャートの処理を行う。これにより、ディスプレイ特定部１０４は、操作対象範囲の左上端を含むディスプレイの位置（左上端位置）（ＬＵＸ，ＬＵＹ）と、操作対象範囲の右下端を含むディスプレイの位置（右下端位置）（ＲＢＸ，ＲＢＹ）とを求める。この場合、ＬＵＸ＝４、ＬＵＹ＝１、ＲＢＸ＝５、ＲＢＹ＝２である。
【０１３０】
次に、ディスプレイ制御部１０５の動作について説明する。具体的には、使用終了時においてディスプレイ制御部１０５が行う処理（以下、使用終了時処理ともいう）について説明する。
【０１３１】
図１０は、使用終了時処理のフローチャートである。まず、ディスプレイ制御部１０５は、ディスプレイ特定部１０４から、（ＬＵＸ，ＬＵＹ）、（ＲＢＸ，ＲＢＹ）を示す制御対象ディスプレイ情報を取得する（ステップＳ７０１）。
【０１３２】
次に、ディスプレイ制御部１０５は、制御対象ディスプレイの制御対象位置（ＤＰＹＸ，ＤＰＹＹ）の初期値を設定する。具体的には、ディスプレイ制御部１０５は、ＤＰＹＸ＝ＬＵＸ、ＤＰＹＹ＝ＬＵＹとする（ステップＳ７０２）。
【０１３３】
次に、ディスプレイ制御部１０５は、位置が、（ＤＰＹＸ，ＤＰＹＹ）であるディスプレイに対応するディスプレイ情報の使用ユーザー数から１を減算する（ステップＳ７０３）。
【０１３４】
次に、ディスプレイ制御部１０５は、減算された使用ユーザー数が０であるか否かを判定する（ステップＳ７０４）。使用ユーザー数が０である場合（ステップＳ７０４でＹＥＳ）、処理はステップＳ７０５へ移行する。一方、使用ユーザー数が０以外である場合、まだ、このディスプレイ（画面）を使っているユーザーがいるので、電源をオフにせずに、処理はＳ７０６へ移行する。
【０１３５】
次に、ディスプレイ制御部１０５は、位置が、（ＤＰＹＸ，ＤＰＹＹ）であるディスプレイのＩＰアドレスを、ディスプレイ情報群ＤＴ２ｂに含まれる各ディスプレイ情報から特定する。
【０１３６】
そして、ディスプレイ制御部１０５は、特定したＩＰアドレスを有する制御対象ディスプレイへ、通信ケーブルを介して、電源をオフするための制御コマンドを送信する。当該制御コマンドを受信した制御対象ディスプレイは、電源をオフする（ステップＳ７０５）。
【０１３７】
次に、ディスプレイ制御部１０５は、ＤＰＹＸに１を加算する（ステップＳ７０６）。すなわち、ディスプレイ制御部１０５は、現在の制御対象ディスプレイの１つ右隣のディスプレイを、新たな制御対象ディスプレイとする。
【０１３８】
次に、ディスプレイ制御部１０５は、ＤＰＹＸがＲＢＸより大きいか否かを判定する（ステップＳ７０７）。ＤＰＹＸがＲＢＸ以下の場合（ステップＳ７０７でＮＯ）、再度、ステップＳ７０３の処理が行われる。
【０１３９】
一方、ＤＰＹＸがＲＢＸより大きい場合（ステップＳ７０７でＹＥＳ）、操作対象範囲内にある右端のディスプレイまでの制御が完了したことになる。この場合、処理は、ステップＳ７０８へ移行する。
【０１４０】
次に、ディスプレイ制御部１０５は、ＤＰＹＸ＝ＬＵＸとする。次に、ディスプレイ制御部１０５は、ＤＰＹＹに１を加算する。すなわち、次の制御対象ディスプレイを、１つ下の段の左端のディスプレイに設定する（ステップＳ７０８）。
【０１４１】
次に、ディスプレイ制御部１０５は、ＤＰＹＹがＲＢＹより大きいか否かを判定する（ステップＳ７０９）。ＤＰＹＹがＲＢＹ以下の場合（ステップＳ７０９でＮＯ）は、操作対象範囲内の下端のディスプレイまで制御が完了していない。この場合、再度、ステップＳ７０３の処理が行われる。
【０１４２】
一方、ＤＰＹＹがＲＢＹより大きい場合（ステップＳ７０９でＹＥＳ）、操作対象範囲内にある下端のディスプレイまでの制御が完了したことになる。この場合、全ての制御対象ディスプレイの制御が完了したので、この処理は終了する。
【０１４３】
上記処理の結果、ディスプレイ１１０−５，１１０−１０の電源がオフされ、映像の表示が消える。なお、ディスプレイ１１０−３，１１０−４，１１０−８，１１０−９の電源はオンのままで、映像が表示されている。
【０１４４】
したがって、操作員Ｄのみが使用していたディスプレイの電源がオフされ、操作員Ｃ，Ｄが共通で使用していたディスプレイ１１０−４，１１０−９の電源はオフされない。すなわち、複数の操作員の操作対象範囲が重なっていても、重なっているディスプレイの電源はオフしない。
【０１４５】
そのため、操作員Ｃの操作に支障を来すことなく、映像表示システム１０００（マルチディスプレイ１１０Ｍ）の消費電力を削減することが可能である。すなわち、他の操作員の操作を妨げずに、映像表示システム１０００（マルチディスプレイ１１０Ｍ）の消費電力を削減することが可能である。
【０１４６】
以上説明したように、本実施の形態では、状態検知部１０１が複数のディスプレイの少なくとも１つの使用開始または使用終了を検知した場合、ディスプレイ特定部１０４が、使用開始または使用終了が検知された制御対象ディスプレイを特定する。ディスプレイ制御部１０５が、使用開始または使用終了が検知された制御対象ディスプレイの使用電力を制御するための処理を行う。なお、本発明では、従来のように、ビデオカメラという特別な外部機器等を利用せずに、上記の処理を行う。これにより、コストを抑えつつ、省電力化を実現することができる。
【０１４７】
また、本実施の形態では、操作員によるディスプレイの使用開始時または使用終了時に、操作員の操作対象範囲に基づいて、操作員の使用対象のディスプレイを特定する。そして、特定されたディスプレイのみの電源を、オンまたはオフする。これにより、使用されないディスプレイの電力を削減することができる。したがって、映像表示システム１０００（マルチディスプレイ１１０Ｍ）の効率のよい省電力化が図れる。
【０１４８】
なお、本実施の形態では、ディスプレイ制御部１０５が、ディスプレイの電源をオンまたはオフするように構成されているが、この構成に限定されない。
【０１４９】
例えば、操作員によるディスプレイの使用開始時に、当該ディスプレイが表示する映像の輝度を上げ、操作員によるディスプレイの使用終了時に、当該ディスプレイが表示する映像の輝度を下げるように構成しても良い。すなわち、マルチディスプレイ１１０Ｍ全体の電源はオンであるが、操作員が使用していないディスプレイが表示する映像の輝度を落としておき、ディスプレイの使用開始時に当該ディスプレイのみが表示する映像の輝度のみを上げる構成としてもよい。
【０１５０】
具体的には、図４のディスプレイ制御処理において、ディスプレイ制御部１０５は、状態検知部１０１が使用開始または使用終了を検知した場合、該使用開始または該使用終了が検知された制御対象ディスプレイが表示する映像の輝度を制御する。すなわち、ディスプレイ制御部１０５は、制御対象ディスプレイの使用電力を制御するための処理を行う。
【０１５１】
より具体的には、ディスプレイ制御部１０５は、状態検知部１０１が使用開始を検知した場合、該使用開始が検知された制御対象ディスプレイが表示する映像の輝度を上昇させる制御を行う。また、ディスプレイ制御部１０５は、状態検知部１０１が使用終了を検知した場合、該使用終了が検知された制御対象ディスプレイが表示する映像の輝度を低下させる制御を行う。
【０１５２】
輝度を低下させる制御の一例について説明する。ここで、制御対象ディスプレイが、例えば、液晶ディスプレイとする。この場合、ディスプレイ制御部１０５は、制御対象ディスプレイが有するバックライト光源へ供給される電流を少なくするための制御を、制御対象ディスプレイに対して行う。これにより、制御対象ディスプレイが表示する映像の輝度を下げることができる。
【０１５３】
また、他の例として、制御対象ディスプレイが、投射型映像装置であるとする。この場合、ディスプレイ制御部１０５は、制御対象ディスプレイが有する光源へ供給される電流を少なくするための制御を、制御対象ディスプレイに対して行う。
【０１５４】
上記のように構成することで、操作員がログインせず、かつ、操作が行われないディスプレイも、輝度を下げて映像を表示しているため、当該ディスプレイの監視を行うことができる。すなわち、操作員が操作を行わない状態でも、ディスプレイの監視を行うことができる。
【０１５５】
さらに、ディスプレイが表示する映像の度を下げているので、映像表示システム１０００（マルチディスプレイ１１０Ｍ）の消費電力を削減することができる。
【０１５６】
（その他の変形例）
以上、本発明に係る映像表示システムおよび制御装置について、実施の形態に基づいて説明したが、本発明は、これら実施の形態に限定されるものではない。本発明の主旨を逸脱しない範囲内で、当業者が思いつく変形を本実施の形態に施したものも、本発明に含まれる。つまり、本発明は、その発明の範囲内において、実施の形態を適宜、変形、省略することが可能である。
【０１５７】
また、映像表示システム１０００または制御装置１００は、図１に示される全ての構成要素を含まなくてもよい。すなわち、映像表示システム１０００または制御装置１００は、本発明の効果を実現できる最小限の構成要素のみを含めばよい。
【０１５８】
また、本発明は、映像表示システム１０００または制御装置１００が備える特徴的な構成部の動作をステップとする電力制御方法として実現してもよい。また、本発明は、当該電力制御方法に含まれる各ステップをコンピュータが実行してもよい。また、本発明は、そのような電力制御方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０１５９】
上記実施の形態で用いた全ての数値は、本発明を具体的に説明するための一例の数値である。すなわち、本発明は、上記実施の形態で用いた各数値に制限されない。
【０１６０】
また、本発明に係る電力制御方法は、図４のフローチャートの一部または全てに相当する。本発明に係る電力制御方法は、図４における、対応する全てのステップを必ずしも含む必要はない。すなわち、本発明に係る電力制御方法は、本発明の効果を実現できる最小限のステップのみを含めばよい。
【０１６１】
また、電力制御方法における各ステップの実行される順序は、本発明を具体的に説明するための一例であり、上記以外の順序であってもよい。また、電力制御方法におけるステップの一部と、他のステップとは、互いに独立して並列に実行されてもよい。
【０１６２】
なお、本発明は、その発明の範囲内において、実施の形態を適宜、変形、省略することが可能である。
【符号の説明】
【０１６３】
１０Ａ  マルチ画面、１００  制御装置、１０１  状態検知部、１０２  操作範囲管理部、１０３  ディスプレイ情報管理部、１０４  ディスプレイ特定部、１０５  ディスプレイ制御部、１１０−１，１１０−２，１１０−３，１１０−４，１１０−５，１１０−６，１１０−７，１１０−８，１１０−９，１１０−１０  ディスプレイ、１１０Ｍ  マルチディスプレイ、１０００  映像表示システム。
【図１】
2014139600.tif 000003
【図２】
2014139600.tif 000004
【図３】
2014139600.tif 000005
【図４】
2014139600.tif 000006
【図５】
2014139600.tif 000007
【図６】
2014139600.tif 000008
【図７】
2014139600.tif 000009
【図８】
2014139600.tif 000010
【図９】
2014139600.tif 000011
【図１０】
2014139600.tif 000012
【図１１】
2014139600.tif 000013